(57)【要約】【課題】  ハンガーや物干し器具等の衣類吊り下げ用具の逆さＵ字形状に形成された引っ掛け部の仕組み、形状を工夫することで、一般に見られる吊り下げ用具と同程度の掛け外しの使用感と操作性を実現しながら、風で強く煽られても落下しにくく、隣り合う複数の衣類同士が密着しにくい衣類吊り下げ用具を提供する。【解決手段】  逆さＵ字形状に形成された引っ掛け部１と、引っ掛け部に設けた支持点５で支持され、支持点５を円の中心として一定の範囲内で抵抗なく回動する可動部材２を装置する。【選択図】  図１
2005270161.tif 000002
【特許請求の範囲】
【請求項１】
一般にある物干し竿などの棒状部材３の外周におおまかになぞった逆さＵ字形状に形成された引っ掛け部１と、引っ掛け部に設けた支持点５で支持され、支持点５を軸として一定の範囲内で抵抗なく回動する可動部材２からなる引っ掛け構造を有するハンガーや物干し器具等の衣類吊り下げ用具であって、可動部材２はてこの原理により支持点５、力点４および作用点に相当する保持力補強部６を成している。引っ掛け部１を棒状部材３に掛ける直前の状態では、可動部材２はその重心の偏りにより重心Ｇのある力点４の方に下振れした状態を保持しており、引っ掛け部１と保持力補強部６との間は棒状部材を通すだけの十分な広さを持って開口され開口部７を形成している。力点４が逆さＵ字形状の内縁のＵ字状部分より十分に下の位置で維持されるよう引っ掛け部に停止点Ｐをとり、Ｐ位置に設けたストッパーにより力点４はそれ以上の下ぶれを制止される。引っ掛け部１を棒状部材３に引っ掛けると同時に可動部材２が回動し、力点４は棒状部材３により点Ｓまで押し上げられる。それと連動して支点５を挟んで力点４の反対側の保持力補強部６が棒状部材３に近接する位置までもち上げられることになり、結果可動部材２は棒状部材３に対する衣類吊り下げ用具の保持力を補強する。さらに、棒状部材３から衣類吊り下げ用具をはずす場合には、衣類吊り下げ用具の任意の位置を握持して持ち上げる動作により、棒状部材によって押し上げられていた可動部材２の力点４は、重力により引っ掛け部１を棒状部材３に掛ける前の位置にもどるので、連動して開口部７が開口し、棒状部材３から衣類吊り下げ用具がはずせる。つまり、本機能を有する衣類吊り下げ用具は、引っ掛け部に保持力補強のための可動部材を装置するが、可動部材には一切手を掛けることなしに、多く普及している可動部材のない引っ掛け部を擁した衣類吊り下げ用具と同様の使い勝手でありながら、衣類吊り下げ用具一般の欠点である風の煽動による落下の危険性を顕著に低減することを特徴とする。
【請求項２】
可動部材２を物干し竿などの棒状部材の長手方向に対して幅広に形成した請求項１の衣類吊り下げ用具（図４）。
【発明の詳細な説明】
【技術分野】
【０００１】
ハンガーの脱落を防止するための引っ掛け部分の仕組み、形状に関することである。
【背景技術】
【０００２】
ハンガーや物干し器具等の衣類吊り下げ用具を物干し竿等の棒状部材に吊り下げることに関しては、風の影響による落下の対策や竿上を移動して洗濯物が互いに密着してしまうことに対する防止策として、引っ掛け部の弾性を利用して竿材に対する握持力を備えたものや、ばねの応用により竿材を両側から挟む形態のもの、また竿材自体の形状、構造に工夫をしたり、防止のための部材を竿材に取り付ける形式のものなど、さまざまな仕組みや方式が考案されている。
【発明の開示】
【発明が解決しようとする課題】
【０００３】
ハンガーや物干し器具等の衣類吊り下げ用具を物干し竿などの棒状部材に吊り下げる場合には、衣類吊り下げ用具に逆さＵ字形状に形成された引っ掛け部を、棒状部材に引っ掛ける形態が普及しているが、引っ掛け部の一般的な形状は前述の通り逆さＵ字形状を成しており、衣類が風で強く煽られると、Ｕ字形状に開口されていることで引っ掛け部が棒状部材から外れ、衣類吊り下げ用具全体が落下する場合がある。
【０００４】
さらに衣類吊り下げ用具の問題点として、吊り下げた衣類が強風に煽られることにより吊り下げ用具の引っ掛け部が物干し竿等の棒状部材の上を滑って移動し、適当な間隔を設けて吊るされていた複数の衣類が一方に寄せられて密着しあうことが起こる。
【課題を解決するための手段】
【０００５】
逆さＵ字形状に形成された引っ掛け部１と、引っ掛け部に設けた支持点５で支持され、支持点５を軸として一定の範囲内で抵抗なく回動する可動部材２を装置する。
【０００６】
引っ掛け部１を棒状部材３に掛ける直前の状態では可動部材２はその重心の偏りにより重心Ｇのある力点４の方に下振れした状態を保持しており、引っ掛け部１と保持力補強部６との間は棒状部材を通すだけの十分な広さを持って開口され開口部７を形成している（図２）。
【０００７】
力点４は逆さＵ字形状の内縁のＵ字状部分より十分に下の位置で維持されるような引っ掛け部の位置に停止点Ｐをとり、Ｐ位置にストッパーを設けてそれ以上の下ぶれを防ぐ。
【０００８】
引っ掛け部１を棒状部材３に引っ掛けると同時に可動部材２の力点４は、棒状部材３により点Ｓまで押し上げられ、それと連動して支持点５を挟んで力点４の反対側に補強部を構成している保持力補強部６が棒状部材３に近接する位置まで持ち上げられることになり（図１）、結果可動部材２は棒状部材３に対する衣類吊り下げ用具の保持力を補強する。
【０００９】
さらに、棒状部材３から衣類吊り下げ用具をはずす場合には、衣類吊り下げ用具の任意の位置を握持して持ち上げる動作により、棒状部材によって押し上げられていた可動部材２の力点４は重力により引っ掛け部１を棒状部材３に掛ける前の位置にもどるので、連動して開口部７が開口し、棒状部材３から衣類吊り下げ用具がはずせる。
【発明の効果】
【００１０】
本機能を有する衣類吊り下げ用具の効果は、引っ掛け部に保持力補強のための可動部材を装置し、衣類を含む吊り下げ用具全体の自重で可動部材を動かして棒状部材に対する保持力を補強し、衣類吊り下げ用具一般の欠点である風の煽動による落下の危険性を顕著に低減することである。
【００１１】
同様の可動部をもつ吊り下げ用具のように可動部分に直接何らかの手動による手操作を加える必要があるものでは、片手での掛け外しがむずかしく、一方の手で吊り下げ用具を持ちながらもう一方で可動部分を操作することになり、またバネによる２方向からの挟持力を利用した装置では挟持部付近まで手が届くことが要求されるが、本思想による方法では引っ掛け部付近には特段手を掛けることなく、一般にひろく普及している可動部材のない衣類吊り下げ用具と同様に片手で吊り下げ用具の任意の位置を握持して掛け外しができるので、使用感と操作性に優れている。
【００１２】
請求項２にある吊り下げ用具を使用して洗濯物等の衣類を二つ以上隣接して吊り下げた場合、強風に煽られて棒状部材の長手方向どちらか一方に移動しても、幅広の掛かり部の外側面Ｗ同士が突合接触することで支えとなり、隣り合う洗濯物同士の密着を防ぐことができる（図５）。
【発明を実施するための最良の形態】
【００１３】
物干し竿などの棒状部材３の外周におおまかになぞった逆さＵ字形状に形成された引っ掛け部１と、引っ掛け部に設けた支持点５で支持され、支持点５を軸として一定の範囲内で抵抗なく回動する可動部材２からなるハンガーや物干し器具等の衣類吊り下げ用具であって、引っ掛け部１を棒状部材３に掛ける直前の状態では、可動部材２はその重心の偏りにより重心Ｇのある力点４の方に下振れした状態を保持しており、引っ掛け部１と保持力補強部６との間は棒状部材を通すだけの十分な広さを持って開口され開口部７を形成している。
【００１４】
力点４が逆さＵ字形状の内縁のＵ字状部分より十分に下の位置で維持されるような引っ掛け部の位置Ｐにストッパーを設けてそれ以上の下ぶれを防止し、引っ掛け部１を棒状部材３に引っ掛けると同時に棒状部材３により、可動部材２の力点４は点Ｓまで押し上げられ、それと連動して力点４の反対側の保持力補強部６が棒状部材３に近接する位置までもち上げられることになり、結果可動部材２は棒状部材３に対する衣類吊り下げ用具の保持力を補強する。
【００１５】
さらに、棒状部材３から衣類吊り下げ用具をはずす場合には、衣類吊り下げ用具の任意の位置を握持して持ち上げる動作により、棒状部材によって押し上げられていた可動部材２の力点４は重力により引っ掛け部１を棒状部材３に掛ける前の位置にもどるので、連動して開口部７が開口し、棒状部材３から衣類吊り下げ用具がはずせる。
【図面の簡単な説明】
【００１６】
【図１】請求項１の思想による装置を棒状部材に掛けた状態を示す。
【図２】請求項１の思想による装置を棒状部材に掛ける直前の状態を示す。
【図３】図１をＡ方向に見た状態を示す。
【図４】請求項２の思想による装置をＡ方向に見た状態を示す。
【図５】請求項２の思想による装置ふたつが隣り合う場合の外側面の突合接触の状態を示す。
【符号の説明】
【００１７】
１  衣類吊り下げ用具の引っ掛け部
２  可動部材
３  棒状部材
４  可動部材２の力点
５  可動部材２の支持点
６  可動部材２の保持力補強部
７  開口部
Ｇ  重心
Ｐ  可動部材２の下ぶれ停止点
Ｓ  力点４が押し上げられる点
Ｗ  幅広に形成した可動部材２の外側面
【図１】
2005270161.tif 000003
【図２】
2005270161.tif 000004
【図３】
2005270161.tif 000005
【図４】
2005270161.tif 000006
【図５】
2005270161.tif 000007